(57)【特許請求の範囲】
【請求項１】
梁部材であるＨ型鋼を接合するための鋼管をコンクリート部の外周面に沿って設けてなる遠心成形コンクリート柱部材において、
前記鋼管と同心状に配置される環状の筒体であって、前記Ｈ型鋼のフランジに対向する前記鋼管の内面の部分に接続されるインナープレートを備え、
前記インナープレートは、前記コンクリート部を分断しないように前記コンクリート部の厚さより薄く形成され、前記鋼管に接続される前記Ｈ型鋼の前記フランジに対し上方及び下方にそれぞれ延設されており、
前記鋼管には、溶接により前記Ｈ型鋼が接合されること、
を特徴とする遠心成形コンクリート柱部材。
【請求項２】
前記インナープレートは、軸方向に離間して複数設けられていることを特徴とする請求項１に記載の遠心成形コンクリート柱部材。
【発明の詳細な説明】
【０００１】
【発明の属する技術分野】
本発明は、構造物の柱等に用いられる遠心成形コンクリート柱部材に関するものである。
【０００２】
【従来の技術】
従来、遠心成形コンクリート柱部材として、コンクリート部の外周部に鋼管を設けたものが知られている。この遠心成形コンクリート柱部材は、例えば建築物の柱として用いられ、その場合、鋼管の部分には、梁部材が溶接などにより接合される。
【０００３】
【発明が解決しようとする課題】
しかし、上記のような遠心成形コンクリート柱部材では、梁部材に作用した荷重がコンクリート部へ伝達されず、梁部材接合部の機械的強度が十分に得られないため、梁部材に大きな荷重をかけることが困難であった。
【０００４】
これに対し、特公平６−１０５００３号公報には、側面に沿って鋼管が固着された筒状のコンクリート層同士の間に挟まれるように配置され、側面に梁が接合される環状の支圧板を備えた遠心成形鋼棒補強コンクリート部材が開示されている。この公報に記載のものによれば、コンクリート層の側面内方に突出した支圧板が設けられていることで、梁部材からの応力がコンクリート層に加わるため、梁部材に大きな荷重をかけることができる。
【０００５】
しかしながら、上記公報に記載のものでは、コンクリート部を分断するように支圧板が配置されているため、コンクリート部の強度が低下する。
【０００６】
本発明の目的は、コンクリート部の強度を維持しつつ、梁部材接合部の強度が高いコンクリート柱部材を提供することである。
【０００７】
【課題を解決するための手段】
本発明は、梁部材接合用の鋼管をコンクリート部の外周面に沿って設けてなる遠心成形コンクリート柱部材において、鋼管の内面の梁部材の接合部に対応する部分にインナープレートが接合されていることを特徴とするものである。
【０００８】
このような遠心成形コンクリート柱部材は、鋼管の内面にインナープレートを接合することにより、インナープレートがコンクリート部内に突出するように配されるため、梁部材にかかった荷重がインナープレートを介してコンクリート部に伝達される。従って、梁部材接合部の強度が向上する。また、インナープレートがコンクリート部を分断することなく配されているので、コンクリート部を連続体とすることができ、強度を高く維持することができる。更に、鋼管とコンクリート部との間にインナープレートを設けたことで、梁部材を鋼管に溶接する場合、鋼管からコンクリート部へ熱が伝達されにくくなり、溶接によるコンクリート部への熱の影響を低減することができる。
【０００９】
この場合、インナープレートは環状であって、鋼管と同心状に設けられていることが好ましい。このようにインナープレートを鋼管と同心状に設けられた環状とすることで、梁部材の接合可能な範囲が広くなるため、接合作業が容易となる。また、インナープレートは、コンクリート部の厚さより薄く形成されることが好ましく、鋼管には溶接により梁部材が接合されることが好ましい。
【００１０】
また、梁部材はＨ型鋼であり、インナープレートはＨ型鋼のフランジ部に対応する部分に配されていることが好ましい。これにより、接合部の強度を維持できると共に、梁部材から伝わる荷重をコンクリート部の２点で支えることができるため、より大きな荷重にも耐えることが可能となる。
【００１１】
好ましくは、インナープレートは、軸方向に離間して複数設けられているのがよい。このようにインナープレートを離間してコンクリート部内に複数設けることで、梁部材から伝わる荷重を支える点が増えることになり、より梁部材接合部の強度を向上させることができる。
【００１２】
【発明の実施の形態】
以下、本発明に係る遠心成形コンクリート柱部材の好適な実施形態について図面を参照して説明する。
【００１３】
図１は、本実施形態に係る遠心成形コンクリート柱部材を示す径方向の断面図であり、図２は、図１に示す遠心成形コンクリート柱部材の軸方向の断面図である。これらの図において、遠心成形コンクリート柱部材（以下、「柱部材」と略す）１は、筒状のコンクリート部２の外周面に沿って梁部材接合用の鋼管４が設けられており、鋼管４の内面の梁部材３の接合部に対応する部分にはインナープレート５が接合されている。インナープレート５は環状であって、鋼管４と同心状に設けられている。このように、インナープレート５を鋼管４と同心状に設けられた環状とすることで、梁部材３の接合可能な範囲が広くなるため、接合作業が容易となる。
【００１４】
インナープレート５としては、例えば、鋼製のものが用いられ、溶接によって鋼管に接合される。
【００１５】
本実施形態では梁部材３としてＨ型鋼を用いており、このＨ型鋼のフランジ部３ａ，３ｂに対応する部分において、インナープレート５がコンクリート部２内に突出するようにそれぞれ配されている。これにより、梁部材３の接合部の強度を維持できると共に、梁部材３から伝わる荷重をコンクリート部２の２点で支えることができるため、より大きな荷重にも耐えることが可能となる。このように、インナープレート５を軸方向に離間して複数設けることにより、梁部材３から伝わる荷重を支える点が増えることになり、より梁部材３の接合部の強度を向上させることができる。
【００１６】
尚、梁部材とはブラケットを含んだものを意味する。また、コンクリート部２の内部には、鉄筋等の補強部材が備えられているが図では省略している。
【００１７】
以上のような柱部材１の製造は、いわゆる遠心成形によって行われる。まず、筒状の鉄筋網の途中部位に梁部材接合用の鋼管４を外装する。この鋼管４の内面には、梁部材３の接合部に対応するようにインナープレート５を溶接等によりあらかじめ接合する。次いで、コンクリート遠心成形用の型枠に鋼管４を外装した鉄筋網を設置し、型枠を回転させつつコンクリートを打設し、型枠を回転させる。これにより、柱部材１が遠心成形により製造される。尚、コンクリートの補強部材としては、鋼棒等を用いてもよい。
【００１８】
以上のように柱部材１を成形することで、インナープレート５がコンクリート部２内に突出するように配される。これにより、梁部材３から伝わる荷重がコンクリート部２に伝わるため、梁部材接合部の強度が向上する。また、インナープレート５がコンクリート部２を分断することなく配されるため、コンクリート部２を連続体とすることができ、柱部材１の強度を高く維持することができる。更に、本実施形態に係る柱部材１は、部品点数が比較的少なくて済むことから製造が容易になる。
【００１９】
次に、上記のようにして成形されたコンクリート柱部材１を用いた構造物建造の施工手順の概略について図３〜図７を参照して説明する。
【００２０】
まず、図３において、上記のように遠心成形によって製造された柱部材１を用意する。この柱部材１は、工場等において成形された後、建築現場に搬入される。その際、柱部材１の形状が略円柱であるため、運搬などの際に効率のよい積載ができる。次に、この柱部材１の複数（本実施形態では３つ）の鋼管４に、梁部材３のブラケット３１を接合する（図４参照）。鋼管４とブラケット３１とは、例えば溶接等によって接合する。このとき、鋼管４とコンクリート部２との間にインナープレート５を設けたことで、梁部材３を鋼管４に溶接する場合に、鋼管４からコンクリート部２へ熱が伝達されにくくなり、溶接によるコンクリート部２への熱の影響を低減することができる。この接合工程は建築現場、または鉄骨工場（ファブリケーター）にて行われる。尚、説明のため、図では鋼管４にブラケット３１をそれぞれ２つづつ接合したところを示し、他のブラケット３１は省略している。
【００２１】
次いで、図５において、ブラケット３１が接合された複数本の柱部材１を構造物の基礎部分５０に建て込む。このとき、柱部材１は、隣り合う柱部材１のブラケット３１同士が同一直線上に並ぶように建て込む。尚、説明のため、図では柱部材１を２本のみ示し、他は省略している。
【００２２】
その後、図６において、隣り合う柱部材１のブラケット３１同士に鉄骨梁等の梁部材３２を接合する。そして、各階の床に相当する位置に床部５１を設ける（図７参照）。
【００２３】
以上、本発明を実施形態に基づき具体的に説明したが、本発明は上記実施形態に限定されるものではない。例えば、インナープレート５は環状でなくともよく、梁部材３の接合される部位にのみ部分的に接合してもよい。また、コンクリート部２は中実であってもよい。
【００２４】
本発明によれば、梁部材接合用の鋼管をコンクリート部の外周面に沿って設けられた遠心成形コンクリート柱部材において、鋼管内面の梁部材の接合部に対応する部分にインナープレートを接合したため、梁部材にかかった荷重がインナープレートを介してコンクリート部に伝わり、梁部材接合部の強度が向上する。また、インナープレートがコンクリート部を分断することなく配されるので、コンクリート部を連続体とすることができ、強度を高く維持することができる。
そして、インナープレートを設けることで、梁部材を鋼管に溶接する場合に、鋼管からコンクリート部へ熱が伝達されにくくなり、溶接によるコンクリート部への熱の影響を低減することができる。
以    上
【図面の簡単な説明】
【図１】本実施形態に係る遠心成形コンクリート柱部材を示す径方向の断面図である。
【図２】図１に示す遠心成形コンクリート柱部材の軸方向の断面図である。
【図３】本実施形態に係るコンクリート柱部材を用いた構造物建造の施工手順を示す概略図である。
【図４】本実施形態に係るコンクリート柱部材を用いた構造物建造の施工手順を示す概略図である。
【図５】本実施形態に係るコンクリート柱部材を用いた構造物建造の施工手順を示す概略図である。
【図６】本実施形態に係るコンクリート柱部材を用いた構造物建造の施工手順を示す概略図である。
【図７】本実施形態に係るコンクリート柱部材を用いた構造物建造の施工手順を示す概略図である。
【符号の説明】
１…柱部材（遠心成形コンクリート柱部材）、２…コンクリート部、３ａ，３ｂ…フランジ部、３…梁部材、４…鋼管、５…インナープレート、３１…ブラケット（梁部材）、３２…梁部材。
【図１】
0003715949.tif 000002
【図２】
0003715949.tif 000003
【図３】
0003715949.tif 000004
【図４】
0003715949.tif 000005
【図５】
0003715949.tif 000006
【図６】
0003715949.tif 000007
【図７】
0003715949.tif 000008